(57)【要約】  複数の走査電極と，走査電極に交差する複数のアドレス電極と，駆動電極と，各走査電極とアドレス電極の交差位置に配置される複数のセルとを有する表示装置において，各セルが，駆動電極と走査電極との間に設けられた発光素子及び容量性素子と，当該発光素子と容量性素子の接続ノードとアドレス電極との間に設けられた選択用スイッチ素子とを有する。そして，アドレス期間にアドレス電極及び選択用スイッチ素子を介して前記容量性素子が選択的に放電または充電され，アドレス期間に続く表示期間に駆動電極が駆動され発光素子を介して容量性素子が充電または放電され，当該表示期間の充電または放電に要する電流により発光素子が発光する。このように，アドレス期間で選択セルに対して選択用スイッチ素子を介して容量性素子を放電（または充電）し，それに続く表示期間で発光素子を介して容量性素子を充電（または放電）する。したがって，簡単なセル構造で，アクティブ駆動を行うことができ，高い輝度の電流駆動型発光表示装置を提供できる。【特許請求の範囲】
【請求項１】
複数の走査電極と，前記走査電極に交差する複数のアドレス電極と，駆動電極と，各走査電極とアドレス電極の交差位置に配置される複数のセルとを有し，
前記セルが，駆動電極と走査電極との間に設けられた発光素子及び容量性素子と，当該発光素子と容量性素子の接続ノードとアドレス電極との間に設けられた選択用スイッチ素子とを有し，
アドレス電極及び選択用スイッチ素子を介して前記容量性素子が選択的に放電または充電されるアドレス期間と、前記駆動電極が駆動され前記発光素子を介して前記容量性素子が充電または放電され，この充電または放電に要する電流により前記発光素子が発光する表示期間とを有する表示装置。
【請求項２】
請求項１において，前記表示期間にて，前記駆動電極の駆動が，当該駆動電極と走査電極との間の電位差を徐々に大きくするように行われる表示装置。
【請求項３】
請求項１において，前記表示期間における容量性素子の充電または放電電荷量により，表示輝度値が制御される表示装置。
【請求項４】
請求項１において，前記選択素子は，順方向にバイアスされた時に導通する一方向性素子である表示装置。
【請求項５】
請求項１において、前記発光素子は、順方向にバイアスされた時に導通しながら発光する一方向性発光素子である表示装置。
【請求項６】
請求項１において，前記選択素子は，前記アドレス電極と並列に設けられたアドレス選択線により導通制御されるスイッチ手段である表示装置。
【請求項７】
請求項１において，前記選択素子は，順方向にバイアスされた時に導通しながら発光する一方向性素子である表示装置。
【請求項８】
請求項４において，前記一方向素子の順バイアス方向が前記接続ノードからアドレス電極に向かう方向にある場合は，前記アドレス期間で容量性素子が選択的に放電され，前記表示期間で当該放電されたセルにおいて前記容量性素子が充電される表示装置。
【請求項９】
請求項４において，前記一方向素子の順バイアス方向が前記アドレス電極から接続ノードに向かう方向にある場合は，前記アドレス期間で容量性素子が選択的に充電され，前記表示期間で当該充電されたセルにおいて前記容量性素子が放電される表示装置。
【請求項１０】
請求項１において，前記表示期間において，前記駆動電極と走査電極との間の電位差が徐々に大きくなるように前記駆動電極が駆動され，当該駆動電圧の終了値を可変制御して表示期間での輝度値が制御される表示装置。
【発明の詳細な説明】
【技術分野】
【０００１】
本発明は，各セルに電流駆動型発光素子を配置した表示装置に関する。
【背景技術】
【０００２】
電流駆動型発光表示装置は，たとえば発光ダイオードや有機エレクトロルミネッセンス（ＥＬ）など電流を流すことにより発光する素子（発光素子ＬＥＤ）を各セルに設け，それらのセルを順次選択し所定の電流を流すことで発光させ，それにより画像表示を行う。【０００３】
図１は，従来の電流駆動型発光表示装置とその駆動波形の一例を示す図である。この例は，Ｙ電極Ｙ０〜Ｙ２とアドレス電極Ａ０〜Ａ３の交差位置にある各セルに，発光ダイオードなどの発光素子ＬＥＤと抵抗素子と設けている。ＲＧＢの発光ダイオードを利用することでカラー画像を表示することができる。この例は，パッシブ駆動と呼ばれるライン順次で駆動するものである。【０００４】
図１の駆動波形に示されるとおり，Ｙ電極をスキャン周期Ｔｓに同期してＬレベルに順次駆動し，その駆動に同期してアドレス電極Ａ０〜Ａ３を選択的にＨレベルに駆動する。アドレス電極がＨレベルに駆動されると，各セル内の発光ダイオードＬＥＤに電流が流れて発光が生じる。したがって，アドレス電極を画像データに応じて駆動することで，所望のセルのみを発光させることができる。【０００５】
このパッシブ駆動方法では，各セルは，１フレーム期間内でＹ電極が走査されているスキャン期間Ｔｓ内の駆動期間Ｔｄのみで発光するので，ライン当たりの発光デューティ比が小さく，十分な輝度を確保することが困難である。【０００６】
また，図１の発光素子として，発光ダイオードの代わりに有機ＥＬを利用することもできるが，同様に最大輝度が不十分であるという課題がある。【０００７】
各セルに有機ＥＬを利用し，アクティブ駆動する表示装置も提案されている。例えば，特許文献１に記載されるとおりである。この表示装置は，各セル内に，薄膜トランジスタ（ＴＦＴ）と有機ＥＬ素子を直列に接続し，書き込み期間において，各水平ラインを駆動しながら薄膜トランジスタのゲート容量を充電または放電して所望のゲート電圧を書き込み，それに続く表示期間において，薄膜トランジスタから有機ＥＬ素子にゲート電圧に応じた電流を流して発光させる。したがって，書き込み期間以外の期間において，有機ＥＬ素子が発光するので，発光デューティ比が高くなり高い輝度表示を可能にする。
【特許文献１】特開２００３−９９０００号公報
【発明の開示】
【発明が解決しようとする課題】
【０００８】
前述したとおり，図１に記載された従来の発光ダイオードを利用した表示装置では，パッシブ駆動であるので，十分な輝度を確保することができない。【０００９】
また，特許文献１，２に記載された表示装置はアクティブ駆動ではあるが，セル内に発光素子に加えて駆動用のトランジスタ，書き込み時の選択トランジスタ，リセット用のトランジスタなど多くの素子が必要であり，セル構造が複雑になるという課題がある。【００１０】
そこで，本発明の目的は，簡単なセル構造でアクティブ駆動可能な電流駆動型発光表示装置を提供することにある。
【課題を解決するための手段】
【００１１】
上記の目的を達成するために，本発明の第１の側面によれば，複数の走査電極と，前記走査電極に交差する複数のアドレス電極と，駆動電極と，各走査電極とアドレス電極の交差位置に配置される複数のセルとを有する表示装置において，前記セルが，駆動電極と走査電極との間に設けられた発光素子及び容量性素子と，当該発光素子及び容量性素子の接続ノードとアドレス電極との間に設けられた選択用スイッチ素子とを有する。そして，アドレス期間にアドレス電極及び選択用スイッチ素子を介して前記容量性素子が選択的に放電または充電され，前記アドレス期間に続く表示期間に前記駆動電極が駆動され前記発光素子を介して前記容量性素子が充電または放電され，当該表示期間の充電または放電に要する電流により前記発光素子が発光する。【００１２】
上記の第１の側面によれば，アドレス期間で選択セルに対して選択用スイッチ素子を介して容量性素子を放電（または充電）し，その状態を利用して，それに続く表示期間で発光素子を介して容量性素子を充電（または放電）する。したがって，簡単なセル構造で，アクティブ駆動を行うことができ，高い輝度の電流駆動型発光表示装置を提供することができる。【００１３】
上記の第１の側面において，好ましい実施例によれば，前記表示期間において，前記駆動電極の駆動が，当該駆動電極と走査電極との間の電圧を徐々に上昇させるように行われる。具体例では，駆動電極の電圧が徐々に変化するよう駆動される。これにより，容量性素子を充電または放電する電流が発光素子を介して連続的に流れて発光輝度をより高くすることができる。また，この好ましい実施例で，さらに，前記表示期間における容量性素子の充電または放電電荷量により輝度値が制御される。【００１４】
さらに，上記の第１の側面において，好ましい実施例によれば，前記選択素子は，ダイオードなどの順方向にバイアスされた時に導通する一方向性素子である。または，前記選択素子は，アドレス電極と並列に設けられたアドレス選択線により導通制御されるスイッチ手段であり，例えばトランジスタである。【００１５】
また，上記の第１の側面において，好ましい実施例によれば，前記選択素子は，発光ダイオードや有機ＥＬ素子などの順方向にバイアスされた時に導通しながら発光する一方向性発光素子である。このような一方向性発光素子を選択素子として利用することで，アドレス期間において容量性素子を放電または充電する電流により，一方向性発光素子が発光し，表示輝度と高くすることができる。【００１６】
上記の目的を達成するために，本発明の第２の側面によれば，複数の走査電極と，前記走査電極に交差する複数のアドレス電極と，駆動電極と，各走査電極とアドレス電極の交差位置に配置される複数のセルとを有する表示装置において，前記セルが，前記駆動電極と走査電極との間に直列に接続された発光素子及び容量性素子と，当該発光素子と容量性素子の接続ノードとアドレス電極との間に設けられた選択用ダイオード素子とを有する。そして，アドレス期間にアドレス電極及び選択用ダイオード素子を介して前記容量性素子が選択的に放電または充電され，前記アドレス期間に続く表示期間に前記駆動電極及び発光素子を介して前記容量性素子が充電または放電される。
【発明の効果】
【００１７】
簡単なセル構造でアクティブ駆動可能な電流駆動型発光表示装置を提供できる。
【図面の簡単な説明】
【００１８】
【図１】従来の電流駆動型発光表示装置とその駆動波形の一例を示す図である。
【図２】第１の実施の形態における表示装置の構造と駆動波形を示す図である。
【図３】第１の実施の形態における詳細な駆動動作を説明する図である。
【図４】第１の実施の形態における駆動電圧の条件を説明する図である。
【図５】第１の実施の形態の変形例を示す図である。
【図６】第２の実施の形態における表示装置の構造と駆動波形を示す図である。
【図７】第３の実施の形態の表示装置の構成図である。
【符号の説明】
【００１９】
Ａ０〜Ａ３：アドレス電極        Ｙ０〜Ｙ２：走査電極
Ｘ：駆動電極                    ＬＥＤ：発光素子
Ｃｐ：容量性素子              Ｄ１：選択用スイッチ素子
ＡＤＤ：アドレス期間            ＤＩＳ：表示期間
【発明を実施するための最良の形態】
【００２０】
以下，図面にしたがって本発明の実施の形態について説明する。但し，本発明の技術的範囲はこれらの実施の形態に限定されず，特許請求の範囲に記載された事項とその均等物まで及ぶものである。【００２１】
図２は，第１の実施の形態における表示装置の構造と駆動波形を示す図である。この表示装置は，水平方向に延びる複数の走査電極Ｙ０〜Ｙ２と，走査電極と交差し垂直方向に延びる複数のアドレス電極Ａ０〜Ａ３と，共通の駆動電極Ｘとを有し，走査電極Ｙ０〜Ｙ２とアドレス電極Ａ０〜Ａ３との交差位置に配置されるセルは，発光ダイオードや有機ＥＬ素子からなる発光素子ＬＥＤと，それに直列に接続された容量性素子Ｃｐと，それらの接続ノードとアドレス電極との間に設けられた選択用スイッチ素子であるダイオードＤ１とで構成される。【００２２】
図２の例では，駆動電極Ｘが各走査電極に対向して並列に配列され，右端で共通に接続された櫛歯形状になっている。あるいは，駆動電極Ｘは格子状に形成されていてもよく，共通に駆動可能な形状であればよい。そして，駆動電極Ｘ側に発光素子ＬＥＤが接続され，それと走査電極Ｙ０〜Ｙ２との間に容量性素子Ｃｐが接続されている。また，発光素子ＬＥＤと容量性素子Ｃｐとの接続ノードとアドレス電極Ａ０〜Ａ３との間にダイオードＤ１が接続されている。【００２３】
図２に示した駆動波形に基づいて，本実施の形態の表示装置の駆動方法を説明する。まず，各サブフレーム期間ＳＦ１，ＳＦ２は，アドレス期間ＡＤＤと表示期間ＤＩＳとで構成される。サブフレーム期間が始まる時点では，全てのセルの容量性素子Ｃｐが充電されている。そして，アドレス期間ＡＤＤでは，駆動電極Ｘがグランドに維持され，走査電極Ｙ０〜Ｙ２が順次Ｈレベルに駆動され，その走査電極の走査駆動に同期してアドレス電極Ａｎが選択的に駆動される。選択セルに対応するアドレス電極は所定の開始電圧から引き下げられ，選択用ダイオードＤ１が導通し，容量性素子Ｃｐが選択用ダイオードＤ１を介して放電される。非選択セルに対応するアドレス電極は所定の開始電圧から引き下げられずに，選択用ダイオードＤ１が非導通のままとなり，容量性素子Ｃｐは放電されない。以上のアドレス期間ＡＤＤにより，各セルへの点灯または非点灯の情報が書き込まれる。【００２４】
次に表示期間ＤＩＳでは，全セルに共通に配置された駆動電極Ｘに徐々に変化する，この例では徐々に上昇する電圧が印加される。このとき，選択セルの容量性素子Ｃｐは放電されているので，発光素子ＬＥＤと容量性素子Ｃｐとの接続ノードがＬレベルになっている。よって発光素子ＬＥＤが導通し，発光素子ＬＥＤを介して容量性素子Ｃｐが充電される。この充電電流により発光素子ＬＥＤが発光する。一方，非選択セルの容量性素子Ｃｐは放電されていないので，接続ノードはＨレベルになっており，よって発光素子ＬＥＤは導通せず発光もしない。【００２５】
表示期間ＤＩＳが終了した時点で，全ての容量性素子Ｃｐは充電状態にリセットされる。したがって，次のサブフレーム期間では，全ての容量性素子が充電している状態から，上記と同じアドレス期間と表示期間の駆動が行われる。【００２６】
上記のサブフレーム期間ＳＦ１，ＳＦ２を繰り返しながら，各サブフレーム期間のアドレス期間で点灯すべきセルを選択し，それに続く表示期間で発光駆動することで，セルを選択的に発光させることができる。したがって，サブフレーム期間毎に点灯セルを制御することで，複数のサブフレーム期間の組合せによりセルの輝度階調値を制御することができる。たとえば，１つのフレーム期間内に４つの同じサブフレーム期間があれば，４階調の輝度値を表示することができる。また，各サブフレーム期間で表示期間の発光に寄与する電荷量を制御することで，サブフレーム期間毎に重みの異なる輝度値を表示することができる。輝度値の重み付け比を４：２：１とバイナリー値の関係にすることで，４サブフレームで８階調の輝度値を表示することができる。【００２７】
図３は，第１の実施の形態における詳細な駆動動作を説明する図である。図３には，１つのセルＣＥＬが示され，発光素子ＬＥＤと容量性素子Ｃｐとの接続ノードがＭノードとなっている。そして，駆動波形には，アドレス電極の駆動電圧Ｖａｄと，駆動電極Ｘの駆動電圧Ｖｘと，走査電極Ｙの駆動電圧Ｖｙと，Ｍノードの電圧Ｖｍとが示される。便宜上，ノード電圧Ｖｍは走査電圧Ｖｙと共に示される。ノード電圧Ｖｍは，破線（点灯セル）と一点鎖線（消灯セル）とで示され，走査電圧Ｖｙは実線で示されている。【００２８】
図３でも各サブフレーム期間ＳＦ１，ＳＦ２がアドレス期間ＡＤＤと表示期間ＤＩＳとを有する。アドレス期間ＡＤＤの開始時は，容量性素子Ｃｐは充電状態にあり，Ｍノードの電圧Ｖｍは充電レベルＶｓになっている。この充電レベルＶｓは後述する駆動電極の駆動電圧レベルＶｓと同じである。また，アドレス電極は開始電圧Ｖａｘにされ，駆動電極Ｘの電圧ＶｘはグランドレベルＧＮＤになっている。アドレス期間ＡＤＤでは，走査電極Ｙに電圧Ｖｓｃの駆動パルスが順次印加される。そして，この走査駆動のタイミングに同期して，アドレス電極の電圧Ｖａｄは，選択セルに対し開始電圧Ｖａｘから電圧Ｖａだけ引き下げられ，非選択セルに対し開始電圧Ｖａｘに維持される。【００２９】
このアドレス期間ＡＤＤの動作により，まず，ノード電圧Ｖｍは，走査電極電圧Ｖｙの立ち上がりによるカップリング動作により充電レベルＶｓから電圧Ｖｓｃだけ上昇する。そして，選択セル（点灯セル）では，アドレス電極電圧ＶａｄがＶａｘ−Ｖａに低下し，ダイオードＤ１が順バイアスとなり導通し，容量性素子Ｃｐが放電する。容量性素子Ｃｐの放電により，ノード電圧ＶｍはＹ電極の電圧レベルまで低下する（破線参照）。つまり，Ｖｍ＝Ｖｓｃとなる。一方，非選択セル（消灯セル）では，アドレス電極電圧Ｖａｄが開始電圧Ｖａｘに維持されて，ダイオードＤ１は逆バイアスのままで導通しない。したがって，容量性素子Ｃｐは放電せず，ノード電圧Ｖｍは低下しない（一点鎖線参照）。これにより，容量性素子への書き込み動作が完了する。走査電極電圧Ｖｙがグランドレベルに下がると，選択、非選択セルのいずれのノード電圧Ｖｍもカップリングにより低下する。ただし，ノード電圧Ｖｍの低レベル，高レベル状態は維持され，選択セルのノードＶｍはグランドレベルに，非選択セルのノードＶｍはＶｓレベルになる。【００３０】
アドレス期間ＡＤＤでは，全ての走査電極Ｙが順に駆動され，各ラインのセルの容量性素子に書き込みが行われる。このアドレス期間が終了すると，次の表示期間ＤＩＳで共通駆動電極Ｘが一斉に駆動される。この駆動電極Ｘの駆動波形は，図３に示されるとおり，グランドレベルＧＮＤから駆動電圧レベルＶｓまで徐々に上昇する。このとき，全ての走査電極Ｙの電圧Ｖｙはグランドレベルに維持されている。選択セル（点灯セル）では，ノード電圧Ｖｍがグランドレベルにあるので，発光素子ＬＥＤが順バイアスとなり導通し，駆動電極Ｘから発光素子ＬＥＤを介して容量性素子Ｃｐが充電される。つまり，容量性素子への充電動作が継続し，駆動電極電圧Ｖｘの上昇に追従してノード電圧Ｖｍも上昇する。その結果，選択セル（点灯セル）の発光素子は，表示期間ＤＩＳの充電電流により発光を継続する。【００３１】
一方，非選択セル（消灯セル）では，ノード電圧Ｖｍが充電レベルＶｓのままであり，駆動電極電圧Ｖｘが上昇しても，発光素子ＬＥＤは順バイアスとならず，非導通のままである。したがって，ノード電圧Ｖｍのレベルは充電レベルＶｓのままに維持される。【００３２】
選択セル（点灯セル）の容量性素子Ｃｐは，グランドレベルから駆動電圧レベルＶｓまで充電されるので，その充電による電荷量Ｑは，容量性素子Ｃｐの容量値をＣとすると，Ｑ＝ＣＶｓとなり，この電荷量Ｑが表示期間での輝度値に対応する。したがって，駆動電極Ｘの駆動電圧レベルＶｓを選択することで，サブフレーム期間での輝度値を制御することができる。【００３３】
図４は，第１の実施の形態における駆動電圧の条件を説明する図である。図４には，２行２列のセルの回路構成図と各電極の電圧値を示す表とが示されている。回路構成図にはアドレス期間での各電極の電圧も示されている。また，表には，表示期間後と，アドレス期間での選択セル，半選択セル，非選択セルの各電極の電圧値が示されている。今仮に，走査電極Ｙ０が駆動され，アドレス電極Ａ０がＬレベルに駆動され，アドレス電極Ａ１がＨレベルのままであるとする。この場合，セルＣＥＬ１１が選択セル，セルＣＥＬ２１が半選択セル，セルＣＥＬ１２が非選択セルとする。【００３４】
本実施の形態において，つまり，アドレス駆動時において走査電極電圧Ｖｙが電圧Ｖｓｃまで駆動され，ダイオードＤ１１の順方向バイアスがなくなるまでＭノードが放電されるので，放電終了時点でＶｍ＝Ｖａｘ−Ｖａとなる。さらに，放電終了時点で容量性素子Ｃｐの電荷をゼロにするためには，放電終了時点でＭノードの電圧Ｖｍは走査電極電圧Ｖｙの電圧Ｖｓｃと等しくする必要がある（Ｖｍ＝Ｖｓｃ）。したがって，アドレス駆動時には，アドレス電極電圧と走査電極電圧とを以下のとおり等しくする必要がある。
Ｖｓｃ＝Ｖａｘ−Ｖａ        （１）
この条件によって，走査電極電圧Ｖｙの電圧Ｖｓｃからグランドレベルへの低下に応答してノード電圧Ｖｍがグランドレベルになる。【００３５】
次に，半選択セルＣＥＬ２１では，ダイオードＤ１が逆バイアスになる必要があるので，Ｖａ＞Ｖｍから，次の条件が必要になる。
Ｖａｘ−Ｖａ＞Ｖｓ          （２）
同様に，非選択セルＣＥＬ１２でも，ダイオードＤ１が逆バイアスになる必要があるので，Ｖａ＞Ｖｍから，次の条件が必要になる。
Ｖａｘ＞Ｖｓ＋Ｖｓｃ        （３）
上記の（１），（２）から，次の条件が必要になり，
Ｖｓｃ＞Ｖｓ                （４）
また，上記の（３），（５）から，次の条件が必要になる。
Ｖａｘ＞２Ｖｓ              （５）
要すれば，上記（１）（４）（５）から，走査電極Ｙの駆動レベルＶｓｃは，駆動電極Ｘの駆動レベルＶｓより高くし，アドレス電極の電圧Ｖａｄの開始電圧Ｖａｘは走査電極Ｙの駆動レベルＶｓｃの２倍よりも高くし，そして，式（１）のＶｓｃ＝Ｖａｘ−Ｖａであればよい。この条件が満されれば，選択セルＣＥＬ１１でＭノードが放電され，非選択セルＣＥＬ１２と半選択セルＣＥＬ２１でＭノードが放電されない。そして，各サブフレーム期間で輝度値を制御する場合は，駆動電極Ｘの駆動レベルＶｓを走査電極の駆動レベルＶｓｃ未満の範囲で選択することが必要になる。【００３６】
図５は，第１の実施の形態の変形例を示す図である。前述の例とは極性が逆になっている点で異なる。つまり，セル構造でいえば，発光素子ＬＥＤとダイオードＤ１の向きが逆になっている。駆動電極Ｘ側に発光素子ＬＥＤが接続され，走査電極Ｙ側に容量性素子Ｃｐが接続されているのは前述の例と同じである。【００３７】
駆動波形では，アドレス期間ＡＤＤにおいて，走査電極Ｙの駆動パルスが負電圧になり，アドレス電極Ａｎの電圧はグランドレベルから所定のレベルに引き上げられる。また，表示期間ＤＩＳにおいて，駆動電極Ｘの電圧がグランドレベルから負電圧に徐々に減少する。【００３８】
動作を簡単に説明すると，アドレス期間ＡＤＤの開始時において，容量性素子Ｃｐは放電状態になり，Ｍノードは負の放電レベルになっている。そこで，選択セル（点灯セル）で，走査電極Ｙに負のパルスが印加され，アドレス電極Ａｎに正のパルスが印加されると，ダイオードＤ１が導通し，容量性素子Ｃｐが充電されてＭノードのレベルが上昇する。非選択セル（消灯セル）では，アドレス電極に正のパルスが印加されないので，容量性素子Ｃｐの充電は行われない。【００３９】
続いて，表示期間ＤＩＳにおいて，駆動電極Ｘの電圧が引き下げられると，選択セルでは発光素子ＬＥＤが導通し，容量性素子Ｃｐが発光素子ＬＥＤを介して放電する。この放電は，Ｍノードのレベルが駆動電極Ｘのレベルの引き下げ変化に追従して行われる。これにより，Ｍノードのレベルも負に引き下げられる。そして，表示期間の駆動が終了すると，選択セルのＭノードは負の放電レベルにリセットされる。【００４０】
以上のとおり，図５の逆極性の例は，容量性素子Ｃｐの放電と充電が逆になっているが，前述の表示装置と実質的に同じ動作である。【００４１】
図６は，第２の実施の形態における表示装置の構造と駆動波形を示す図である。この表示装置は，セル内の選択用ダイオードが発光素子ＬＥＤになっているところが，第１の実施の形態と異なる。それ以外の構成は，第１の実施の形態と同じである。そして，駆動波形は第１の実施の形態と同じであり，動作及び動作条件もほぼ同じである。第２の実施の形態によれば，アドレス期間において，選択セル（点灯セル）の容量性素子Ｃｐが放電されるとき，放電電流が選択用ダイオードに流れ，そこでも発光する。つまり，点灯セルでは，アドレス期間と表示期間の両方で発光する。したがって，より高い輝度値にすることができる。表示期間での発光動作は，第１の実施の形態と同じである。【００４２】
この発光素子ＬＥＤは，発光ダイオードや有機ＥＬ素子で構成することができる。また，図５の変形例と同様に，逆極性の構成にすることもできる。【００４３】
図７は，第３の実施の形態の表示装置の構成図である。この実施の形態では，セル内の選択用スイッチ素子ＳＬが薄膜トランジスタＴＦＴで構成され，それに伴って，アドレス電極Ａ０，Ａ１に並列に選択電極Ａ０ｓ，Ａ１ｓが設けられている。そして，アドレス期間において，走査電極Ｙ０，Ｙ１が駆動されるタイミングで，選択セルに対応する選択電極Ａ０ｓ，Ａ１ｓが駆動されて薄膜トランジスタＴＦＴを導通させる。それと共に，アドレス電極Ａ０，Ａ１も所定のレベルに駆動される。それにより，選択セルの容量性素子Ｃｐが放電されＭノードのレベルが低下する。表示期間においては，選択電極Ａ０ｓ，Ａ１ｓが駆動されずに全ての薄膜トランジスタＴＦＴが非導通となる。そして，駆動電極Ｘの電圧が徐々に上昇する伴い，選択セルでは容量性素子Ｃｐが充電されＭノードが上昇し，発光素子ＬＥＤが発光する。【００４４】
以上のとおり，実施の形態によれば，簡単なセル構造でアクティブ駆動可能な電流駆動型発光表示装置を提供できる。
【産業上の利用可能性】
【００４５】
本発明によれば，簡単なセル構造でアクティブ駆動可能な電流駆動型発光表示装置を提供できる。
【図１】
2006098007.tif 000002
【図２】
2006098007.tif 000003
【図３】
2006098007.tif 000004
【図４】
2006098007.tif 000005
【図５】
2006098007.tif 000006
【図６】
2006098007.tif 000007
【図７】
2006098007.tif 000008
【国際調査報告】
2006098007.tif 000009
2006098007.tif 000010
2006098007.tif 000011
2006098007.tif 000012